(57)【要約】【課題】両側背負い帯の上端側で取付け具への取付け部分の横方向への振り幅を広く確保することができ、ランドセルを背負ったとき、肩に負担がかかるのを少なくできるだけでなく、ランドセル本体を背負ったときに、ランドセル本体の重心を背中に近付けることで重く感じることがないようにでき、かつ、痛みを感じる状態が生じないランドセルの背負い帯取付け装置を提供する。【解決手段】ランドセル本体１の背当て部１ａの上部に固定する取付け具１２に、左右一対となる背負い帯結合部材１３を設け、この結合部材１３が、取付け具１２に対して左右への揺動が自在となるよう取付けた揺動杆１５と、この揺動杆１５の上端部に前後方向の軸心を中心に回動自在となるよう枢止された筒体１６と、この筒体１６に嵌挿した一辺を支点に前後方向への回動が自在となる背負い帯接続環１７とで形成され、前記背負い帯接続環１７に背負い帯２が結合される。【選択図】図２
2006000390.tif 000002
【特許請求の範囲】
【請求項１】
ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対して左右への揺動が自在となるよう取付けた揺動杆と、この揺動杆の上端部に前後方向の軸心を中心に回動自在となるよう枢止された筒体と、この筒体に嵌挿した一辺を支点に前後方向への回動が自在となる背負い帯接続環とで形成され、前記背負い帯接続環に背負い帯を結合するようになっていることを特徴とするランドセルの背負い帯取付け装置。
【請求項２】
上記左右の揺動杆は、直立状態から相反する外方に揺動可能となるよう取付け具に枢止され、取付け具との間に設けたばねで直立状態への復帰弾性が付勢され、この両揺動杆に枢止した筒体は、略水平状態から外側に向けて回動可能になっていることを特徴とする請求項１に記載のランドセルの背負い帯取付け装置。
【発明の詳細な説明】
【技術分野】
【０００１】
この発明は、ランドセルの背当て部の上部に左右一対の背負い帯を取付けるための取付け装置に関する。
【背景技術】
【０００２】
従来、ランドセルの背当て部の上部に左右一対の背負い帯を取付けるための取付け装置は、ランドセル本体の背当て部の上部に固定するフラットな取付け具に、左右一対となる筒体を略水平状態で固定し、この筒体に背負い帯結合部材である三角環を、筒体への枢止部分を支点に前後への回動が可能となるようそれぞれ取付け、この三角環に挿入した背負い帯の上端部を折り返し、三角環の外下がりに傾斜する辺を包み込む状態で、背負い帯の折り返した重なり部分を鋲によるカシメや縫着によって結合するようにした構造になっている。
【０００３】
ところで、両側の背負い帯は、ランドセルを背負ったとき、児童の体格に応じて横広がりの配置となり、このため、従来の取付け装置は、両側背負い帯の上端側で取付け具への取付け部分は、三角環の外下がりに傾斜する辺の回動によって横広がりの変化に対応することになる。
【発明の開示】
【発明が解決しようとする課題】
【０００４】
しかしながら、三角環への背負い帯の接続構造では、両側背負い帯の上端側で取付け具への取付け部分の横方向への振り幅が制限を受けてどうしても狭くなり、ランドセルを背負ったとき、児童の体格によっては肩に負担がかかるという問題がある。
【０００５】
また、従来の取付け装置は、三角環が筒体への嵌挿部分を中心に前後方向へ回動自在になっているため、背負い帯の上端は三角環と一体に回動自在となり、このため、図５のように、ランドセル本体１を背負うと、背負い帯２は三角環３から直接背中の方向に引き出され、このため、ランドセル本体１の重心が背中から離れて後方に傾いてしまい、ランドセル本体１を重く感じるだけでなく、取付け具の下縁が背中に押し当てられ、痛みを感じる状態が生じるという問題がある。
【０００６】
そこで、この発明の課題は、両側背負い帯の上端側で取付け具への取付け部分の横方向への振り幅を広く確保することができ、ランドセルを背負ったとき、肩に負担がかかるのを少なくできるだけでなく、取付け具に対して背負い帯を上方に引き出した状態で取付けることができ、ランドセル本体を背負ったときに、背当て部を背中に密着させ、ランドセル本体の重心を背中に近付けることで重く感じることがないようにでき、かつ、痛みを感じる状態が生じないランドセルの背負い帯取付け装置を提供することにある。
【課題を解決するための手段】
【０００７】
上記のような課題を解決するため、この発明は、ランドセル本体の背当て部の上部に固定する取付け具に、左右一対となる背負い帯結合部材を設け、この結合部材にそれぞれ背負い帯を結合するようにしたランドセルの背負い帯取付け装置において、前記背負い帯結合部材が、取付け具に対して左右への揺動が自在となるよう取付けた揺動杆と、この揺動杆の上端部に前後方向の軸心を中心に回動自在となるよう枢止された筒体と、この筒体に嵌挿した一辺を支点に前後方向への回動が自在となる背負い帯接続環とで形成され、前記背負い帯接続環に背負い帯を結合するようになっている構成を採用したものである。
【０００８】
上記左右の揺動杆は、直立状態から相反する外方に揺動可能となるよう取付け具に枢止され、取付け具との間に設けたばねで直立状態への復帰弾性が付勢され、この両揺動杆に枢止した筒体は、略水平状態から外側に向けて回動可能になっている構造とすることができる。
【０００９】
ここで、上記揺動杆は、上下に長い帯板状の合成樹脂や金属板を用い、その下端が取付け具にピンで所定の幅を左右に揺動自在となるよう枢止され、上端部に手前側へ段付き状に折れ曲がる屈曲部を設けて形成され、筒体は前記屈曲部の前面側に前後方向のピンで枢止され、この筒体に設けたストッパー板と屈曲部の上端縁とで、筒体が略水平状態から外側に向けて回動するように規制している。
【００１０】
上記背負い帯接続環は、金属線材を少し横長の矩形状に折り曲げて形成され、平行する二辺の一方を筒体に挿入し、他方に背負い帯が結合されることになる。
【００１１】
なお、背負い帯の重なり部分の結合は、カシメ鋲や縫着によって行なわれる。
【発明の効果】
【００１２】
この発明によると、揺動杆が左右に揺動可能となり、この揺動杆に取付けた筒体が回動可能となっているので、両側背負い帯の上端側で取付け具への取付け部分の横方向への振り幅を広く確保することができ、実質的に両側背負い帯の幅がフリーサイズになり、児童の体格の変化に広範に対応することができ、ランドセルを背負ったとき、肩に負担がかかるのを少なくできる。
【００１３】
また、揺動杆が上向に起立し、その上端に筒体と背負い帯接続環を介して背負い帯を結合するので、背負い帯の上端を上方に立ち上がり状とすることができ、従って、ランドセル本体を背負ったときに、背当て部を背中に密着させることができ、ランドセル本体の重心を背中に近付けることで背負った時に重く感じることがないようにできる。
【００１４】
また、ランドセル本体を背負ったときに、背当て部を背中に密着させることができるので、取付け具の下縁が部分的に背中に当るようなことがなく、痛みを感じる状態が生じない。
【発明を実施するための最良の形態】
【００１５】
以下、この発明の実施の形態を添付図面に基づいて説明する。
【００１６】
図示のように、ランドセルの背負い帯取付け装置１１は、ランドセル本体１の背当て部１ａの上部に固定する取付け具１２と、この取付け具１２に取付けた左右一対となる背負い帯結合部材１３と、取付け具１２の中央上部の位置に取付けた吊り下げ環１４とからなり、前記結合部材１３にそれぞれ背負い帯２の上端側を結合するようになっている。
【００１７】
前記取付け具１２は、ベース部材１２ａとカバー部材１２ｂを組み合わせて鋲等で結合したフラットな横長状に形成され、ランドセル本体１の背当て部１ａの上部に鋲を用いて固定され、両側の上部位置に左右一対となる背負い帯結合部材１３が上方に突出するよう取付けられている。
【００１８】
上記した左右両側の背負い帯結合部材１３は、取付け具１２に対して左右への揺動が自在となるよう取付けた揺動杆１５と、この揺動杆１５の上端部に前後方向の軸心を中心に回動自在となるよう枢止された筒体１６と、この筒体１６に嵌挿した一辺を支点に前後方向への回動が自在となる背負い帯接続環１７とで形成され、前記背負い帯接続環１７に背負い帯２を結合するようになっている。
【００１９】
上記揺動杆１５は、合成樹脂や金属板を用いて上下に長い帯板状に形成され、所定の幅を左右に揺動自在となるようその下端が取付け具１２にピン１８で枢止され、上端部に手前側へ段付き状に折れ曲がる屈曲部１９が設けられ、この揺動杆１５は、取付け具１２との間に設けたばね２０で直立状態への復帰弾性が付勢されている。
【００２０】
上記筒体１６は、前記屈曲部１９の前面側に前後方向に貫通するピン２１で枢止され、この筒体１６の上部に設けた水平状のストッパー板２２と屈曲部１９の上端縁とで、両筒体１６の回動が、略水平状態から外側に向けて所定角度の範囲となるように規制されている。
【００２１】
また、背負い帯接続環１７は、金属線材を少し横長の矩形状に折り曲げて形成され、平行する二辺の一方を筒体１６内に両端から挿入し、筒体１６への挿入辺を中心に前後に回動自在となり、この背負い帯接続環１７の他方辺に背負い帯２が結合されることになる。
【００２２】
上記背負い帯接続環１７に対する背負い帯２の接続は、図２と図３のように、背負い帯２の上側端部を下向きにして、背負い帯接続環１７にランドセル本体１との対面側から挿入して折り返した後、背負い帯２の途中と重ね合わせ、この背負い帯２のなり部分を鋲２３のカシメや縫糸で結合するようにすることにより、背負い帯２を背負い帯接続環１７に接続する。
【００２３】
上記背負い帯２の重なり部分は、背負い帯２に予め設けた両側鋲孔の部分に二本の鋲２３を打ち込んでカシメ結合することにより、背負い帯２を背負い帯接続環１７に接続するものであり、このカシメ固定時において、両側の鋲２３間に座板２４を重ねてカシメるようにする。
【００２４】
なお、背負い帯２の折り返した重なり部分は、図示省略したが、一本の鋲とその両側に施す縫糸で結合するようにしてもよい。
【００２５】
この発明のランドセルの背負い帯取付け装置１１は、上記のような構成であり、背負い帯結合部材１３における揺動杆１５が上向に起立し、その上端に筒体１６と背負い帯接続環１７を介して背負い帯２を結合するので、図２のように、揺動杆１５が左右に揺動可能となり、この揺動杆１５に取付けた筒体１６が外方に回動可能となり、両側背負い帯２の上端側で取付け具１２への取付け部分の横方向への振り幅を広く確保することができ、これによって、実質的に両側背負い帯２の上端側の配置幅がフリーサイズになり、児童の体格の変化に広範に対応することができ、ランドセルを背負ったとき、肩に負担がかかるのを少なくできる。
【００２６】
また、取付け具１２から揺動杆１５が上向に起立しているので、背負い帯２の上端を上方の位置から引き出すことができ、従って、ランドセル本体１を背負ったときに、背当て部１ａを背中に密着させることができ、ランドセル本体１の重心を背中に近付けることで背負った時に重く感じることがないようにできる。
【００２７】
さらに、揺動杆１５の揺動と筒体１６の外方への回動とにより、児童の体格に合わせて背負い帯２が左右に変動することで背負いやすいと共に、ランドセル本体１を背負ったときに、背当て部１ａを背中に密着させることができるので、取付け具１２の下縁が部分的に背中に当るようなことがなく、痛みを感じる状態が生じない。
【図面の簡単な説明】
【００２８】
【図１】この発明のランドセルの背負い帯取付け装置を用いたランドセルの斜視図
【図２】同上の要部を拡大した一部切り欠き正面図
【図３】ランドセルの背負い帯取付け装置を示す拡大した縦断側面図
【図４】この発明のランドセルの背負い帯取付け装置を用いたランドセルの背負い状態を示す側面図
【図５】従来のランドセルの背負い帯取付け装置を用いたランドセルの背負い状態を示す側面図
【符号の説明】
【００２９】
１        ランドセル本体
２        背負い帯
１１      背負い帯取付け装置
１２      取付け具
１３      背負い帯結合部材
１４      吊り下げ環
１５      揺動杆
１６      筒体
１７      背負い帯接続環
１８      ピン
１９      屈曲部
２０      ばね
２１      ピン
２２      ストッパー板
２３      鋲
２４      座板
【図１】
2006000390.tif 000003
【図２】
2006000390.tif 000004
【図３】
2006000390.tif 000005
【図４】
2006000390.tif 000006
【図５】
2006000390.tif 000007